(57)【要約】  ヘルスケア環境３内に位置し、ローカルネットワーク３３に接続される、患者に薬剤を投与するための医療デバイス３１、３２に運用データを転送する方法が、医療デバイス３１、３２に転送されることになる運用データを通信デバイス４０、４１に転送するステップと、通信デバイス４０、４１によって、医療デバイス３１、３２に取り付けられた識別タグ８から情報を読み取り、この情報が通信デバイス４０、４１に、医療デバイス３１、３２に関連付けられた通信インターフェース３１０、３２０、３４０にアクセスさせるステップと、通信デバイス４０、４１からの運用データを、通信インターフェース３１０、３２０、３４０を介して医療デバイス３１、３２に転送するステップと、を含む。これらによって、容易で快適で、更には確実な方法で外部サーバーから病院環境内の非公衆ローカルネットワーク内に位置する医療デバイスに運用データを転送することを可能にする方法が提供される。【選択図】図３
2016510152.tif 000002
【特許請求の範囲】
【請求項１】
患者に薬剤を投与するための医療デバイス（３１、３２）に運用データを転送する方法であって、該医療デバイス（３１、３２）はヘルスケア環境（３）内に位置し、ローカルネットワーク（３３）に接続され、該方法は、
前記医療デバイス（３１、３２）に転送されることになる運用データを通信デバイス（４０、４１）に転送するステップと、
前記通信デバイス（４０、４１）によって、前記医療デバイス（３１、３２）に取り付けられるか又は表示される識別タグ（８）から情報を読み取るステップであって、該情報は、前記通信デバイス（４０、４１）に、前記医療デバイス（３１、３２）に関連付けられた通信インターフェース（３１０、３２０、３４０）にアクセスさせる、ステップと、
前記通信デバイス（４０、４１）からの前記運用データを、前記通信インターフェース（３１０、３２０、３４０）を介して前記医療デバイス（３１、３２）に転送するステップと、
を含む、患者に薬剤を投与するための医療デバイスに運用データを転送する方法。
【請求項２】
前記通信インターフェース（３１０、３２０、３４０）は、前記医療デバイス（３１、３２）に関する運用情報を提供する、請求項１に記載の方法。
【請求項３】
前記通信インターフェース（３１０、３２０）は前記医療デバイス（３１、３２）上で実装される、請求項１又は２に記載の方法。
【請求項４】
前記医療デバイスは、患者に薬剤を投与するための輸液デバイス（３２）、又は少なくとも１つの輸液ポンプ（３２）に接続されるように構成されるラック（３１）である、請求項１〜３のいずれか１項に記載の方法。
【請求項５】
前記通信インターフェース（３４０）は、前記ヘルスケア環境（３）内に位置し前記ローカルネットワーク（３３）に接続される配信サーバー（３４）上に実装される、請求項１〜４のいずれか１項に記載の方法。
【請求項６】
前記通信インターフェース（３１０、３２０、３４０）はウェブサーバーによって構成される、請求項１〜５のいずれか１項に記載の方法。
【請求項７】
前記識別タグはバーコード（８）である、請求項１〜６のいずれか１項に記載の方法。
【請求項８】
前記識別タグは静的又は動的である、請求項１〜７のいずれか１項に記載の方法。
【請求項９】
前記運用データは、公衆通信ネットワーク（２）内に位置する薬剤ライブラリサーバー（１）から前記通信デバイス（４０、４１）に転送される、請求項１〜８のいずれか１項に記載の方法。
【請求項１０】
前記公衆通信ネットワーク（２）はインターネットである、請求項９に記載の方法。
【請求項１１】
前記通信デバイス（４０、４１）は、前記公衆通信ネットワーク（２）を介して前記薬剤ライブラリサーバー（１）と通信するためのウェブクライアント（４００、４１０）を備える、請求項９又は１０に記載の方法。
【請求項１２】
前記薬剤ライブラリサーバー（１）は、フラットファイルフォーマット又はＸＭＬ若しくはＪＳＯＮ／ＢＳＯＮフォーマットで前記運用データを出力するように構成される、請求項９〜１１のいずれか１項に記載の方法。
【発明の詳細な説明】
【技術分野】
【０００１】
本発明は、ヘルスケア環境内に位置し、ローカルネットワークに接続される、患者に薬剤を投与するための医療デバイスに運用データを転送する方法に関する。
【背景技術】
【０００２】
これに関連する運用データは、薬剤ライブラリデータ、又は輸液ポンプ等の医療デバイスの動作に関係する構成データ等の他のデータとすることができる。
【０００３】
通常、輸液ポンプ等の、患者に薬剤を投与するための医療デバイスは、ヘルスケア環境、例えば病院内の様々なロケーションに設置される。そのような医療デバイスは、例えば、病院の病棟の様々な部屋又は手術室内に位置する場合がある。最近では、そのような医療デバイスは、ヘルスケア環境内に位置するサーバーにおいてホスティングされる病院管理システムと有線又は無線手段を介して通信するためにローカルネットワークに接続される。例えば、ローカルネットワークへの通信リンクとしての役割を果たすラック上に輸液ポンプのグループを設置して、輸液ポンプがラックを介してローカルネットワークに接続され、ヘルスケア環境内、例えば病院内のサーバー上の病院管理システムと、ローカルネットワーク、例えばローカルエリアネットワーク（ＬＡＮ）又は無線ローカルエリアネットワーク（ＷＬＡＮ）を介して通信するように動作可能であるようにすることができる。又は、単一のポンプが、ローカルネットワーク及び病院情報システムへの無線通信接続又は有線通信接続を有することができる。
【０００４】
患者に薬剤を投与するためのこの種の医療デバイスの動作を制御するために、いわゆる薬剤ライブラリがそのような医療デバイス上に設置される。薬剤ライブラリは、薬剤、薬剤の成分、適合性の規則及び投与規則等を特徴付ける薬剤ライブラリデータを含む。薬剤ライブラリは、例えば薬剤のリストを含むことができ、このリストにおいて、各薬剤は、例えば輸液デバイスによる投与の境界値を規定するパラメーターと関連付けられる。そのような境界値は、例えば、特定の薬剤の投与の最小投薬量及び最大投薬量、薬剤の投与の最小速度及び最大速度、投与の最小時間及び最大時間等に関係することができる。さらに、そのような境界値は、患者の年齢、体重及び性別に依拠する場合があり、このため、患者に固有である場合がある。
【０００５】
そのような薬剤ライブラリを用いることによって、特定の薬剤を患者に投与するための輸液ポンプ等の医療デバイスの動作は、医療デバイスが、薬剤ライブラリによって課される境界内でのみ看護師によって操作することができるように制御される。これにより、看護師は、患者に薬剤を投与するために、医療デバイスに対し薬剤を識別し、この際、医療デバイスは、その医療デバイスにインストールされた薬剤ライブラリからそれぞれの規則及び境界値を自動的にロードする。
【０００６】
現在、そのような薬剤ライブラリは、ヘルスケア環境内、例えば病院（又は病院のグループ）内にローカルでインストールされる。そのような薬剤ライブラリは、例えば、病院内のパーソナルコンピューター（ＰＣ）又はサーバー上のソフトウェアとしてインストールされ、このＰＣ又はサーバーから、薬剤ライブラリを病院の様々な病棟に位置する医療デバイスにインストールするために、そのような医療デバイスに配信することができる。
【０００７】
現在用いられているシステムでは、ヘルスケア環境内で薬剤ライブラリソフトウェアを配信すること、特に、ヘルスケア環境全体にわたって薬剤ライブラリソフトウェアを最新に保つことは煩雑である。これは、ヘルスケア環境内、例えば特定の病院内で薬剤ライブラリの複数の変形版が用いられることへとつながる場合があり、一貫性がない可能性があるデータを用いて薬剤ライブラリの多重参照が行われる可能性に起因して、安全性に危険が及ぼされる。
【０００８】
外部でホスティングされている（「クラウド」又は「ウェブベースの」）サーバーから、患者に薬剤を投与するための輸液ポンプ又は複数の輸液ポンプを保持するためのラック等の医療デバイスに運用データを提供することが望まれている。一方、そのような外部サーバーはヘルスケア環境の外部、このため、ローカルネットワークの外部に位置する。それによって、ヘルスケア環境のローカルネットワークはインターネット等の外部通信ネットワークから論理的に分離しているので、ヘルスケア環境内に位置する医療デバイスとの通信が常に可能であるとは限らない。
【０００９】
このため、外部サーバーからヘルスケア環境内に位置する医療デバイスにデータを提供することを可能にするために、データを医療デバイスにセキュアにかつ確実に転送する手段が必要とされている。
【００１０】
特許文献１は、モバイル医療情報管理を実行する方法を開示している。ウェブベースの患者ポータルがアクセスされ、患者を一意に識別する個人情報を含むユーザープロファイルに基づいて、患者の医療履歴記録がこの患者ポータルからダウンロードされる。ダウンロードされたデータを、患者又は患者を治療する医師に出力することができる。
【００１１】
特許文献２から既知の方法において、医療デバイスに関連付けられた薬剤管理ユニットが、患者に薬剤を投与するための投薬指示（medication order）を行う。薬剤管理ユニットは、輸液ポンプ等の医療デバイスを、その医療デバイスのネットワークＩＰアドレスによって識別し、医療デバイスの物理的な概略位置をモニタリングする。投薬指示は、薬剤管理ユニットに送信され、この薬剤管理ユニットが次に投薬指示を行う。
【先行技術文献】
【特許文献】
【００１２】
【特許文献１】国際公開第２０１２／０５４６５７号
【特許文献２】国際公開第２００７／１２６９４８号
【発明の概要】
【発明が解決しようとする課題】
【００１３】
本発明の目的は、容易で快適で、更には確実な方法で外部サーバーから病院環境、例えば限られたＩＴインフラストラクチャを有する小さな病院内の非公衆ローカルネットワーク内に位置する医療デバイスに運用データを転送することを可能にする方法を提供することである。
【課題を解決するための手段】
【００１４】
この目的は、請求項１に記載の特徴を含む方法によって達成される。
【００１５】
したがって、患者に薬剤を投与するための医療デバイスに運用データを転送する方法は、
前記医療デバイスに転送されることになる運用データを通信デバイスに転送するステップと、
通信デバイスによって、医療デバイスに取り付けられるか又は表示される識別タグから情報を読み取るステップであって、この情報は、通信デバイスに、医療デバイスに関連付けられた通信インターフェースにアクセスさせる、ステップと、
通信デバイスからの運用データを、通信インターフェースを介して医療デバイスに転送するステップと、
を含む。
【００１６】
本発明は、携帯情報端末（ＰＤＡ）、スマートフォン、タブレットコンピューター、ラップトップコンピューター等の形態のポータブルデバイス等の通信デバイスを介して医療デバイスにデータを転送するという着想に基づく。通信デバイスは、バーコード、ＲＦＩＤタグ又は機械可読情報を搬送することが可能な別の識別タグ等の、医療デバイスに取り付けられるか又は表示される物理的な識別タグを読み取るための読み取りデバイスを備える。識別タグは、医療デバイスを識別し、通信デバイスに、医療デバイスに関連付けられたウェブサーバー等の通信インターフェースと接続させる情報を含む。このため、通信デバイスによって読み取られる識別タグは、通信デバイスを、ウェブサーバー等の通信インターフェースに誘導する役割を果たし、この通信インターフェースを介して、運用データは通信デバイスから医療デバイスへ転送される。
【００１７】
このため、通信インターフェースは、通信デバイスから医療デバイスへの薬剤ライブラリデータ等の運用データの転送を可能にする通信リンクとしての役割を果たす。通信デバイスは、医療デバイスに関する運用情報を提供するように更に構成することができ、それによって、ユーザーは、通信デバイスを介して、例えば、医療デバイスの動作に関する情報を提供する通信インターフェースによって提供されるモニタリングページにアクセスすることができる。例えば、通信インターフェースを介して、輸液速度、輸液時間及び輸液量等の輸液ポンプの現在の輸液動作に関する情報を通信デバイスに出力することができ、それによってユーザーは通信デバイスを介して輸液動作を監視することができる。
【００１８】
コマンドデータの入力を可能にする通信インターフェースも構成することができ、それによってユーザーは、例えば輸液動作に関するコマンドを入力することができ、このため通信インターフェースに接続された通信デバイスを介して輸液デバイス等の医療デバイスを制御することができる。
【００１９】
提案される方法によって、データはヘルスケア環境内の非公衆ローカルネットワーク内に位置する医療デバイスに転送される。このために、通信デバイスは、識別タグによって通信インターフェースに誘導され、通信インターフェースを介して医療デバイスと通信し、データを医療デバイスに転送する。本明細書におけるウェブサーバーの形態の通信インターフェースは、患者に薬剤を投与するための輸液デバイス上、１つ若しくは複数の輸液ポンプに接続されるように構成されるラック上、又はヘルスケア環境内に位置しローカルネットワークに接続される配信サーバー（例えば、集中型（centralising）ゲートウェイの形態をとる）上に実装することができる。
【００２０】
ウェブサーバー等の通信インターフェースが輸液ポンプ上に実装される場合、これは輸液ポンプの一部であり、通信デバイスから輸液ポンプへのデータの直接転送を可能にする。通信インターフェースがラックに設置される場合、データは通信デバイスからラックへ転送され、次に、ラックから、ラックに接続された１つ又は複数の輸液ポンプに配信され、それによってラックはデータを単一の輸液ポンプに配信する役割を果たす。通信インターフェースが別個の配信サーバー上に位置する場合、通信デバイスは配信サーバーにデータを転送し、次に、データは配信サーバーから、ヘルスケア環境内に位置する輸液ポンプ及び／又はラック等の１つ又は複数の医療デバイスに配信される。
【００２１】
上記のように、通信インターフェースは、有利には、ウェブサーバーによって構成される。識別タグから得られる情報は、ウェブサーバー上のウェブページのＨＴＴＰアドレスに誘導することを可能にする、ＩＰアドレス／ホスト名又は他の一意の識別子に対応し、それによって通信デバイスは識別タグからの情報を読み出すことによってウェブサーバーに誘導される。このため、通信デバイスはウェブリンクを開放し、自動的に、又はユーザー承認後にウェブサーバーに接続する。
【００２２】
これに関して、ウェブサーバーは、ウェブサーバーにアクセスする通信デバイスにウェブコンテンツを配信する役割を果たすソフトウェア又はハードウェアによって実装されるデバイスとして理解される。例えば、ウェブサーバーはウェブサイトを保持し、このため、リクエストを受けていわゆるハイパーテキスト転送プロトコル（ＨＴＴＰ）を用いてウェブページをクライアントに配信するように構成される。これは、ＨＴＭＬ文書、及び文書に含めることができる任意の追加のコンテンツの配信を含む。
【００２３】
例えば、上記のように、識別タグはバーコード又はＲＦＩＤタグとすることができる。識別タグは、通信デバイスを通信インターフェースに誘導する情報を含む。識別タグは、例えばウェブサーバーのＩＰアドレス又はＨＴＴＰアドレスを符号化している場合がある。
【００２４】
識別タグ、特にバーコードは、静的又は動的とすることができる。本明細書における静的識別タグは、変更可能でないものと理解される。静的バーコードは医療デバイスに物理的に取り付けることができ、例えばステッカー等とすることができる。静的識別タグ、例えばバーコードは、医療デバイスのディスプレイに表示することもできる。動的識別タグ、例えばバーコードは、含むコンテンツ及び情報が変化可能である。このため、動的識別タグは動的に適応させることができる。そのような動的識別タグは、例えば静的でない形式で医療デバイスのディスプレイに表示することができる。
【００２５】
識別タグがバーコードである場合、通信デバイスは適切なバーコード読み取りデバイスを備える。識別タグがＲＦＩＤタグである場合、通信デバイスは適切なＲＦＩＤ読み取りデバイスを備える。
【００２６】
通信デバイスは、パーソナルコンピューター（ＰＣ）、ノートブックコンピュータ、携帯情報端末（ＰＤＡ）、移動電話、又はインターネットへの接続を可能にする任意の他のデバイスによって構成することができる。好ましくは、通信デバイスはポータブルデバイスによって構成される。
【００２７】
本文との関連で、薬剤ライブラリは薬剤のリストとして理解され、このリストにおいて、薬剤のそれぞれが特定の薬剤を患者に投与するための運用上の境界を規定するパラメーターに関連付けられる。そのようなパラメーターは、患者のデモグラフィック、例えば、患者の年齢、体重又は性別に依拠することができる。
【００２８】
さらに、本文との関連で、ローカルネットワークは、非公衆通信ネットワーク（イントラネットとも呼ばれる）として理解されるものとする。この点において、ローカルネットワークはインターネット等の公衆通信ネットワークと区別される。
【００２９】
ヘルスケア環境は、例えば病院等のヘルスケア機関とすることができる。病院は通常、それぞれ複数の病室を有する或る特定の数の病棟を有する。一方、ヘルスケア環境は、例えば共通ローカルネットワーク（イントラネット）を用いて単一病院事業者によって運用される単一のヘルスケアグループに属する幾つかの病院のグループでもあり得る。
【００３０】
ヘルスケア環境内で、患者に薬剤を投与するための様々な医療デバイスが存在し得る。医療デバイスは、例えば、シリンジポンプ又は容積ポンプ等の輸液ポンプとすることができる。医療デバイスは、単一の製造者からのものである場合もあるし、様々な製造者からのものである場合もある。
【００３１】
医療デバイスは、１つ又は複数の輸液ポンプを接続することができるラックとして構成することもできる。この場合、ラックは、輸液ポンプを保持し、ヘルスケア環境の病院管理システムとの通信のために輸液ポンプをローカルネットワークに接続するための通信リンクとしての役割を果たす。この場合、ラック及び輸液ポンプの双方が医療デバイスを形成し、この医療デバイスに運用データをインストールすることができる。（薬剤ライブラリデータは、例えば、ラックに接続された輸液ポンプへの配信のためにラックにインストールすることができる）。
【００３２】
１つの実施形態では、運用データは、公衆通信ネットワーク内に位置する薬剤ライブラリサーバーから通信デバイスに転送される。これは、運用データを提供するためのウェブベースのサービスを提供するという着想に基づく。本明細書における運用データは、インターネット等の公衆通信ネットワーク内に位置する薬剤ライブラリサーバー上に含まれ、記憶される。ウェブベースのサービスによって、ユーザーが薬剤ライブラリをオンラインで作成し、特定のヘルスケア環境内の及び様々なヘルスケア環境にわたる医療デバイス間で運用データを容易に共有することが可能になる。さらに、アメリカ国立医学図書館等の外部データベースからの情報等の外部情報を作成し、共有し、医療デバイスにマッピングすることが可能になる。そのようなウェブベースのサービスによって、ヘルスケア環境内の及び幾つかのヘルスケア環境にわたる薬剤ライブラリを容易に管理することができ、運用データの容易な配信及び更新が可能になる。
【００３３】
そのようなシステムは、ウェブベースのサービスを提供することによって、薬剤ライブラリの容易な作成、編集及び共有を可能にする。通信デバイスは、公衆通信ネットワーク、例えばインターネットを介して薬剤ライブラリサーバーと通信するためのウェブクライアントを備えることができる。このため、通信デバイスを介して、ユーザーは薬剤ライブラリサーバーに接続して、薬剤ライブラリを作成し、薬剤ライブラリデータを編集し、作成された薬剤ライブラリの共有を管理することができる。
【００３４】
ユーザーは、公衆通信ネットワーク、例えばインターネットを介して薬剤ライブラリサーバーにアクセスすることによって、ヘルスケア環境内で用いられる薬剤ライブラリを管理し、薬剤ライブラリの配信及び共有特性を管理することができる。本明細書におけるユーザーは、インターネットを介して自身の個人設定を編集し、様々なユーザー、サービス、病棟又は病院間の薬剤ライブラリデータ等の運用データの共有を可能にするように協働設定を編集し、病院の病棟等のサブエリアに関係する治療エリアを規定することによって特定の病院内での薬剤ライブラリの配信を規定し、又は病院の薬剤ライブラリ構造全体若しくは更には病院のグループをマッピングする完全なデータセットを作成することを可能にされ得る。本明細書におけるユーザーは、薬剤ライブラリデータに加えて、輸液ポンプ等の医療デバイスに関係する構成データも設定することができる。そのような構成データは、いわゆる構成に含まれ、例えば、医療デバイスの表示エリアをカスタマイズするか又は特定のセキュリティ特徴のパラメーターを規定する、医療デバイスのための運用規則を設定する。
【００３５】
薬剤ライブラリサーバーは、公衆通信ネットワーク内、したがって、パブリックドメイン、例えばインターネットドメイン内に位置する。対照的に、医療デバイスはローカルネットワーク内に位置し、このため、特定のヘルスケア環境に限定される非公衆プライベートドメイン内にある。このため、（パブリックドメイン内の）薬剤ライブラリサーバーは、ローカルネットワークの非公衆環境内に位置する医療デバイスと自由に通信することができず、このため、それ自体では、例えば特定のヘルスケア環境内の医療デバイスの位置特定に関して情報を容易に得ることができない。このため、薬剤ライブラリデータ及び同様に他の例えば構成データを医療デバイスに転送するために、薬剤ライブラリサーバーは、ＰＤＡ又はラップトップコンピューターの形態の移動デバイス等の通信デバイスにデータを転送し、通信デバイスを介してこのデータが医療デバイスに転送される。薬剤ライブラリサーバーは、インターネット等の公衆通信ネットワークを介して通信デバイスと通信することができ、輸液ポンプ等の特定の医療デバイスのための新たに公開されたデータセットが利用可能になると、通信デバイスにアラートを送信することができる。次に、ユーザーはデータセットを通信デバイスにダウンロードすることができ、医療デバイスに取り付けられるか又は表示される識別タグを読み取ることによって、医療デバイスに関連付けられた通信インターフェースにアクセスし、通信インターフェースを介してデータを医療デバイスに転送することができる。
【００３６】
薬剤ライブラリサーバーは、有利には、自身の運用データを共通のＸＭＬ又はＪＳＯＮ／ＢＳＯＮフォーマット（ＸＭＬ：拡張可能マークアップ言語、ＪＳＯＮ：ＪａｖａＳｃｒｉｐｔ（登録商標）オブジェクト表記法、ＢＳＯＮ：バイナリＪＳＯＮ）においてエクスポートすることができる。広く知られた一般的なフォーマットで運用データを出力することによって、この種の薬剤ライブラリサーバーは、或る特定の製造者によるインストールの特定のプリファレンス及び設定と無関係に読み取り可能な出力を提供することにより、様々な製造者の医療デバイスと接続して用いることができる。
【００３７】
一方、薬剤ライブラリサーバーは、運用データを、別の、場合によっては独自仕様のバイナリフォーマットで出力することもできる。
【００３８】
薬剤ライブラリサーバーは、いわゆるフラットファイルフォーマットで運用データをエクスポートすることもできる。フラットファイルは、例えば、通常行ごとに１つのレコードを含むプレーンテキストファイルとすることができるか、又はバイナリファイルとすることができる。フラットファイルのレコード内で、単一のフィールドは、カンマ又はタブ文字等の区切り文字によって分割することもできるし、固定長を有することもできる。
【００３９】
又は、薬剤ライブラリサーバーは、運用データを通信デバイスに転送するために、薬剤ライブラリサーバー上に記憶されるデータベースの（部分的）コピーを単にエクスポートすることができ、それによって通信デバイスは、データベースフォーマットにおいてデータベース全体の（部分的）コピーの形態でデータセットを受信する。
【００４０】
本発明の基礎をなす着想を、図面に示す実施形態を参照して以下により詳細に説明する。
【図面の簡単な説明】
【００４１】
【図１】医療デバイスに運用データを提供するシステムの概略図である。
【図２】システムの薬剤ライブラリサーバーの概略図である。
【図３】ヘルスケア環境内に配置されるデバイスの概略図である。
【図４】バーコードの例を示す図である。
【図５】運用データを医療デバイスに転送するための概略シーケンス図である。
【発明を実施するための形態】
【００４２】
図１は、ヘルスケア環境３内に位置する医療デバイス３１、３２に運用データを提供するシステムの概略図を示す。
【００４３】
この点に関するヘルスケア環境３は、例えば病院とすることができる。病院は、様々な外来、科、病棟及び手術施設等を有するように編成することができる。病院全体にわたって、患者に薬剤を投与する役割を果たす複数の医療デバイス３１、３２を分散させることができる。そのような医療デバイスは、ラック３１に接続された輸液ポンプ３２とすることができる。ラック３１は、一方では輸液ポンプ３２のための機械的担体としての役割を果たし、他方では輸液ポンプ３２と病院ローカルネットワーク３３との間の通信を容易にする通信リンクとしての役割を果たす。ラック３１及びローカルネットワーク３３（例えばローカルエリアネットワーク（ＬＡＮ）として設定される）を介して、輸液ポンプ３２を病院管理システムに接続し、このため、病院ローカルネットワーク３３内の輸液ポンプ３２の集中型管理を可能にすることができる。
【００４４】
図１に示すシステムは、薬剤ライブラリデータ等の運用データを医療デバイス３１、３２に提供するためのウェブベースのサービスを提供する。薬剤ライブラリは、従来から知られているように、患者に薬剤を投与するための医療デバイス３１、３２に規則を設ける役割を果たす。特に、輸液デバイス３２との関連における薬剤ライブラリは、各薬剤が、その特定の薬剤を患者に投与するための輸液デバイス３２の境界値を規定し、特徴付け、課すパラメーターに関連付けられる、薬剤のリストを含む。例えば、そのような境界値は、薬剤の投薬量、投与速度及び投与時間に関係することができ、異なる薬剤について、また異なるタイプの患者について、例えば患者の年齢、体重及び性別に依拠して、変動することができる。
【００４５】
薬剤ライブラリは、医療デバイス３１、３２、特に輸液ポンプ３２上にインストールされ、輸液ポンプ３２の動作中、薬剤ライブラリによって或る特定の薬剤について設定されたパラメーターが適用されるようにする。例えば、看護師は、或る特定の薬剤について適用された薬剤ライブラリによって規定される投与速度の範囲外の投薬速度を選択することができない。或る特定の薬剤が患者に投与される場合、看護師は、薬剤ライブラリによって規定される境界内でのみ投与パラメーターを選択することができる。
【００４６】
幾つかの従来のシナリオでは、薬剤ライブラリは、ヘルスケア環境３内、例えば病院管理システム内のコンピューター上にローカルにインストールされ、医療デバイス３１、３２にローカルに配信される。これによって、異なる医療デバイス３１、３２上に薬剤ライブラリの複製の変形版をインストールさせることなくヘルスケア環境３全体にわたって新たな薬剤ライブラリ又は更新された薬剤ライブラリを配信することが煩雑になる。
【００４７】
この問題は、運用データを提供するためのウェブベースのサービスを提供することによって、薬剤ライブラリサーバー１がパブリックドメイン内に設けられるという点で克服される。薬剤ライブラリサーバー１は、公衆通信ネットワーク２、例えばインターネットを介してヘルスケア環境３内の通信インターフェース３０、例えば、ルーターに接続することもできるし、ローカル通信ネットワーク３３に直接接続することもできる。公衆通信ネットワーク２に接続する場合、薬剤ライブラリサーバー１は、病院ネットワーク機器（例えば、ヘルスケア環境３内のルーター等の通信インターフェース３０）を通じて医療デバイス３１、３２又は配信サーバー３４とインタラクトすることができる。ローカルネットワーク３３に直接接続する場合、薬剤ライブラリサーバー１は、医療デバイス３１、３２又は配信サーバー３４と直接インタラクトすることができる。双方の場合に、薬剤ライブラリサーバー１は、公衆通信ネットワーク２を通じて外部サービス５とインタラクトすることができる。薬剤ライブラリサーバー１は、ウェブサーバー１０と、通信インターフェースコンポーネント（ウェブインターフェースコンポーネント）１１と、データベース（正：database）コンポーネント１０とをホスティングする。
【００４８】
薬剤ライブラリサーバー１は、ウェブサーバー１０を介して、例えば、場合によっては内蔵のカメラ又はバーコードスキャナー及び／又はＮＦＣ（近距離通信）機能を有する、ＰＤＡ若しくはポータブルコンピューター又は他のスマートデバイス等のポータブルデバイスとして構成される通信デバイス４０、４１上のウェブクライアント４００、４１０にデータを提供する。
【００４９】
ウェブインターフェースコンポーネント１１は、例えば、ハイパーテキスト転送プロトコル（ＨＴＴＰ）によって、（内部又は外部の）配信サーバー３４とのインタラクションのための及び／又は直接医療デバイス３１、３２へのインターフェースを提供する。
【００５０】
データベースコンポーネント１２は、薬剤ライブラリデータと、ウェブベースのサービス内で提供される医療デバイス３１、３２に関係する他のデータとを含むデータベースを提供する。
【００５１】
薬剤ライブラリサーバー１によって提供されるウェブベースのサービスは、特定の製造者又は普遍的に様々な製造者の医療デバイス３１、３２、特に輸液デバイスをサポートする役割を果たす。本明細書における薬剤ライブラリサーバー１は、製品の知識及び展開、クライアント管理及びアカウント、製品サービス、並びに販売を組み合わせるデータベースコンポーネント１２を運用する。薬剤ライブラリサーバー１は、管理されたクライアント空間内でオンラインの薬剤ライブラリの作成、アップロード、ダウンロード及び／又は管理を可能にする。クライアント空間は、病院グループ（幾つかの病院）、病院全体、特定のサービス又は個々のユーザーに関係することができる。ウェブベースのサービスは、ウェブクライアント４００、４１１を介して薬剤ライブラリサーバー１にアクセスすることができる移動デバイス、スマートデバイス、ＰＣ又はラップトップコンピューター等の任意の通信デバイス４０、４１への薬剤ライブラリのインポート又はエクスポートを可能にする。薬剤ライブラリサーバー１は、ダウンロードに利用可能な特定のツールを更に含むことができ、そのようなツールは医療デバイス３１、３２の管理を容易にする。
【００５２】
ウェブベースのサービスによって、サービス中心型のアーキテクチャが提供される。サービスは、ソフトウェアコンポーネントの容易なアップグレード及び展開を可能にする。薬剤ライブラリサーバー１は、クライアントアカウント、コンタクト、ステータス報告及び管理を集中型で保持する。これによって、病院等のローカルヘルスケア環境ドメインにおけるインストールが回避される。集中型サービスによって、集中型の製品制御及びライセンス供与も可能になり、サービス運用者がターゲットマーケティングを行い、使用統計を取得し、的を絞った利用サービスを提供することも可能になる。薬剤ライブラリサーバー１によって、標準化された方法で薬剤ライブラリを容易に作成してオンラインで共有することができる。薬剤ライブラリの作成のためにテンプレートを利用可能とすることができる。ウェブベースのサービスによって、特定のヘルスケア環境３内の、更には幾つかのヘルスケア環境３にわたる薬剤ライブラリを最新状態に維持するための配信及びアップグレードが大幅に容易になる。
【００５３】
図２は、薬剤ライブラリサーバー１の概略図を示す。既に示したように、薬剤ライブラリサーバー１は、ウェブサーバー１０と、ウェブインターフェースコンポーネント１１と、データベースコンポーネント１２とを保持する。ウェブサーバー１０を介して、薬剤ライブラリサーバー１は、公衆通信ネットワーク２、例えばインターネットへの接続を有する通信デバイス４０、４１、例えば任意の移動デバイスのウェブクライアント４００、４１０と通信する。ユーザーは、ウェブサーバー１０を介して、ウェブインターフェースコンポーネント１１及びデータベースコンポーネント１２にアクセスすることができる。
【００５４】
データベースコンポーネント１２は、医療デバイスの位置特定（デバイス位置特定１２０）、クライアントプロファイル１２１、構成１２２、薬剤ライブラリ１２３、治療エリア１２４、データセット１２５及びデバイスプロファイル１２６に関するデータを含む様々なデータベースを備える。
【００５５】
さらに、薬剤ライブラリサーバー１は、通信デバイス４０、４１へのダウンロードのために提供される製造者ツール１３を含むことができる。そのようなツールは中でも、例えば、ヘルスケア環境３内の医療デバイス３１、３２の位置特定を容易にするデバイス発見ツールとすることができる。
【００５６】
ウェブベースのサービスは、外部システム５０（特定のデバイス製造者に対し外部）によって提供されるサービス、又は特定のデバイス製造者のサービス（製造者サービス５１）等の外部サービス５とインタラクトし、その外部サービス５を利用することもできる。外部サービス５によって、ユーザーは、（例えば、アメリカ国立医学図書館等の他のデータベースからの）外部情報を医療デバイス３１、３２にマッピングすることができる。アメリカ国立医学図書館としての外部サービス５０を、薬剤ライブラリサーバー１又は内部配信サーバー３４によって用いて、データを自動的に又は手動でインポートし、そのデータを、配信可能かつ医療デバイス３１、３２によって理解可能なデータセットに変換することができる。製造者サービス５１を、薬剤ライブラリサーバー１又は内部配信サーバー３４によって用いて、配信可能かつ医療デバイス３１、３２によって理解可能なデータセットを自動的に又は手動でインポートすることができる。双方の場合に、ユーザーは、薬剤ライブラリサーバー１又は内部配信サーバー３４とインタラクトして、データセットをインポート、変更及びエクスポートすることができる。
【００５７】
ウェブベースのサービスでは、ライブラリサーバー１は、インターネット等の公衆通信ネットワーク２のドメイン内のヘルスケア環境３の外部に位置する。対照的に、輸液ポンプ及びラックの形態の医療デバイス３１、３２は、ヘルスケア環境３の非公衆ローカルネットワーク３３のドメイン内のヘルスケア環境３内部に配置される。このため、薬剤ライブラリデータに関係する新たに公開されたデータセットを配信するための、薬剤ライブラリサーバー１から医療デバイス３１、３２へのデータ転送は、ヘルスケア環境３の外部から、ヘルスケア環境３内に位置する医療デバイス３１、３２までデータを配信する手段を必要とする。
【００５８】
このために、好ましくは、スマートフォン、携帯情報端末（ＰＤＡ）、タブレットコンピューター又はラップトップコンピューター等のポータブルデバイスとして形成される通信デバイス４０、４１を用いて、薬剤ライブラリサーバー１から医療デバイス３１、３２にデータをトランスポートする。ヘルスケア環境３内に位置する医療デバイス３１、３２に配信される、新たに公開されたデータセット等の薬剤ライブラリデータは、第１のステップにおいて通信デバイス４０、４１にダウンロードされる。薬剤ライブラリサーバー１と通信デバイス４０、４１との間の通信接続が、インターネット等の公衆通信ネットワーク２を介してセットアップされる。データが通信デバイス４０、４１にダウンロードされると、通信デバイス４０、４１がヘルスケア環境３内に位置し、ヘルスケア環境３のローカルネットワーク３３に接続されている場合、データを１つ又は複数の医療デバイス３１、３２に転送することができる。
【００５９】
データを通信デバイス４０、４１から特定の医療デバイス３１、３２に転送するために、当該の医療デバイス３１、３２に物理的に取り付けられるか又はスクリーンによって医療デバイス上に表示されるバーコード又はＲＦＩＤタグ等の識別タグが通信デバイス４０、４１によって読み取られる。このために、通信デバイス４０、４１は、バーコードスキャナー又はＲＦＩＤ読み取りデバイス等の適切な読み取りデバイスを備える。識別タグ内に含まれる情報を読み取ると、通信デバイス４０、４１は、当該の医療デバイス３１、３２に関連付けられた通信インターフェースに誘導され、ウェブサーバーによって構成することができるこの通信インターフェースを介して、データが医療デバイス３１、３２に転送される。
【００６０】
様々な使用事例が生じ、これらについて図３を参照して以下で説明する。他の使用事例も考えられる場合がある。
【００６１】
第１の使用事例では、通信デバイス４１は、データを薬剤ライブラリサーバー１からダウンロードした後、例えば、ラック３１に取り付けられた輸液デバイス３２に取り付けられるか又は表示されるバーコードをスキャンする。本明細書における輸液デバイス３２は、ラック３１を介してローカルネットワーク３３に接続され、通信デバイス４１もローカルネットワーク３３に接続され、それによって通信デバイス４１及び輸液デバイス３２は同じ通信ネットワークにアクセスを有する。
【００６２】
通信デバイス４１は、バーコードをスキャンし、バーコードに含まれる情報を読み出すと、自動的に又は承認等のユーザーインタラクションを伴って、輸液デバイス３２に内蔵されたウェブサーバーの形態の通信インターフェース３２０に誘導される。バーコード内に含まれる情報は通常、ウェブサーバー３２０上のページのＩＰアドレス又はホスト名アドレス又はＨＴＴＰアドレスとすることができる。ここで、通信デバイス４１は、バーコードから取得した情報を用いてウェブリンクを開き、このため、ウェブサーバー３２０によって提供される、ファイルアップロードオブジェクトを含むウェブページにアクセスする。ここで、自動的に又はユーザーインタラクションによって、アップロードするファイルが選択される。ファイルは、薬剤ライブラリサーバー１から通信デバイス４１にダウンロードされた薬剤ライブラリデータ等の運用データを含むデータセットに対応する。次に、ファイルは医療デバイス３２に転送される。ウェブサーバー３２０は、受信したファイルを処理して輸液デバイス３２にインストールし、中に含まれるデータの完全性、有効性及び持続性をチェックするバックエンドを含むことができる。
【００６３】
第２の使用事例において、通信デバイス４１は、輸液デバイス３２に内蔵されたウェブサーバー３２０の代わりに、ラック３１のウェブサーバーの形態の通信インターフェース３１０に誘導される。ラック３１のウェブサーバー３１０に誘導されるとき、データはラック３１に転送される。ラック３１は、データをラック３１に取り付けられた輸液デバイス３２に配信する。
【００６４】
本明細書におけるデータの参照コピーをラック３１上に記憶することができ、それによって、未来のデバイス接続についても、すなわち、輸液デバイス３２が未来にラック３１に取り付けられる場合にも、データ転送を行うことができる。これに関して、輸液デバイス３２はラック３１にプラグ接続することができ、この際、ラック３１は取り付けられた輸液デバイス３２の構成をその参照コピーに対し検証する。輸液デバイス３２にインストールされたデータの更新が必要な場合、輸液デバイス３２はラック３１との更新シーケンスに入ることができる。
【００６５】
それ以外では、第２の使用事例は、上記で説明した第１の使用事例と同じように機能する。
【００６６】
第３の使用事例では、通信デバイス４１を、同様にローカルネットワーク３３に接続され、ヘルスケア環境３内に配置された配信サーバー３４に誘導することができる。配信サーバー３４は、ウェブサーバーの形態の通信インターフェース３４０を含む。通信デバイス４１は、輸液デバイス３２又はラック３１に取り付けられるか又は表示されるバーコードに含まれる情報を読み出すと、ウェブサーバー３４０に誘導される。このため、バーコードは、輸液デバイス３２又はラック３１に取り付けられるか又は表示されるが、バーコードに含まれるウェブリンク情報は、通信デバイス４１を配信サーバー３４及びそのウェブサーバー３４０に誘導する。次に、データが配信サーバー３４に転送され、配信サーバー３４は輸液デバイス３２及び／又はラック３１へのデータの配信に対処する。
【００６７】
データを例えば輸液デバイス３２に転送するために、輸液デバイス３２はローカルネットワーク３３を介して配信サーバー３４に接続されなくてはならない（そうでない場合、アラートが、輸液デバイス３２がローカルネットワーク３３に接続されていないことを示すことができる）。次に、配信サーバー３４から輸液デバイス３２へのデータセットの転送を自動的に又は手動で起動することができる。
【００６８】
上記の使用事例は、薬剤ライブラリサーバー１から通信デバイス４０、４１を介して医療デバイス３１、３２までのデータの転送に関する。データを転送するのではなく、通信デバイス４１が関与する他の使用事例も考えられる。
【００６９】
例えば、通信デバイス４０、４１は、輸液デバイス３２等の医療デバイスに取り付けられるか又は表示されるバーコードをスキャンする際、輸液デバイス３２の内蔵されたウェブサーバー３２０によって提供される監視ページに誘導され得る。監視ページを介して、通信デバイス４１は輸液デバイス３２の動作に関するステータス情報を受信することができ、それによって、例えばポンプ動作をモニタリングすることができ、実際の投与速度、輸液時間、投与される薬剤等に関する情報を、通信デバイス４１を介して読み出すことができる。
【００７０】
ラック３１に内蔵され、ラック３１に接続された全ての輸液デバイス３２に関する監視データを含むウェブサーバー３１０によって、監視ページを提供することもできる。又は、監視ページは、ラック３１及びラック３１に接続された輸液デバイス３２に関する情報を提供する配信サーバー３４のウェブサーバー３４０によって提供することができる。これに関して、通信デバイス４１は、輸液デバイス３２又はラック３１に取り付けられるか又は表示されるバーコードに含まれる情報を読み取る際、ラック３１又は配信サーバー３４に設置されたウェブサーバー３１０、３４０に誘導され得る。
【００７１】
別の使用事例では、通信デバイス４１は、輸液デバイス３２に取り付けられるか又は表示されるバーコードをスキャンする際、及び輸液デバイス３２、ラック３１又は配信サーバー３４に設置されたウェブサーバー３１０、３２０、３４０によって提供されるそれぞれのコマンドページに誘導される際、輸液デバイス３１の輸液動作に関するコマンドを入力することも許可され得る。例えば、そのようなコマンドページを介して、ユーザーは通信デバイス４１により停止アラームを設定することもできるし、患者名を設定することもできるし、他の構成データを入力又は修正することもできる。
【００７２】
バーコード８の例が図４に示される。この特定の例のバーコード８は、静的ＩＰアドレス、病院名、病棟名、病室番号、ベッド番号及び在庫ＩＤの形態の一意の識別子を含む、右側に示すデータを符号化する。携帯用デバイス（例えば、移動電話、ＰＤＡ、タブレットＰＣ等）等の通信デバイス４０、４１によるバーコード８のスキャンにより、携帯用デバイスのディスプレイ上に、バーコード８内に含まれる情報が表示される。次に、携帯用デバイスが病院ローカルネットワーク３３上にあるならば、（携帯用デバイスがタッチスクリーンを含む場合）携帯用デバイスのディスプレイをタップすることによって、ユーザー６はそれぞれの通信デバイス４０、４１のウェブインターフェースに進む。
【００７３】
バーコード８は、医療デバイス３１、３２の画面上にも直接表示することができる。この場合、バーコード８は静的又は動的とすることができる。静的バーコードの場合、バーコード値は、デバイスマネージャーに従って医療デバイス３１、３２における特定のツールによって設定される。静的バーコードの場合、デバイスマネージャーは、医療デバイス３１、３２を識別する一意の識別子（例えばシリアル番号又はＭＡＣアドレス）及び関連するバーコードを用いて情報を記憶する。動的バーコードの場合、バーコード８は、医療デバイス３１、３２によって直接（例えば、一意の識別子及びタイムスタンプを用いることによって、又は乱数発生器によって）、又は配信サーバー３４によって生成することができる。後者の場合、配信サーバー３４は、関連付けられたバーコード８において、医療デバイス３１、３２の一意の識別子の追跡を担当する。
【００７４】
バーコード８に含まれるＩＰアドレスは、輸液デバイス３２、ラック３１又は配信サーバー３４に設置されたウェブサーバー３１０、３２０、３４０に通信４０、４１を誘導する。通信デバイス４０、４１が病院ローカルネットワーク３３上にあるならば、本明細書におけるウェブリンクは、自動的に、又は（通信デバイス４０、４１がタッチスクリーンを含む場合）通信デバイス４０、４１のディスプレイをタップすることによって確立される。
【００７５】
図５において、ラック３１のウェブサーバー３１０を介して、ラック３１に取り付けられた輸液デバイス３２に運用データを転送するためのシーケンス図が示される。第１のステップにおいて、場合によっては、新たに公開されたデータセット、治療エリア、薬剤ライブラリ又は構成の通知の後に、ユーザー６によって、ポータブルデバイス等の通信デバイス４０、４１に或る特定の薬剤ライブラリデータセットがダウンロードされる。ユーザー６は、データを通信デバイス４０、４１にダウンロードすると、このデータを図５に示すシーケンスを用いてラック３１に転送する。本明細書において、ユーザー６はまず、データの転送先の輸液デバイス３２又は輸液デバイス３２の取り付け先のラック３１に取り付けられるか又は表示されるバーコード８をスキャンする（ステップＳ１）。ユーザー６は、バーコード８をスキャンする際、ラック３１のウェブサーバー３１０に誘導され（ステップＳ２）、ウェブサーバー３１０によって、データをラック３１に転送する（ステップＳ３）。データがウェブサーバー３１０を介してラック３１に転送されると（ステップＳ４）、ユーザー６は、ウェブサーバー３１０を介してそれぞれのコマンドを入力することによってラック３１に取り付けられた１つ又は複数の輸液デバイス３２へのデータの配信を開始することができ、ウェブサーバー３１０は次に、それに応じてラック３１に通知する（ステップＳ５、Ｓ６及びＳ７）。
【００７６】
このシーケンスを用いることによって、輸液ポンプ３２が薬剤を患者に点滴している最中に、運用データが輸液ポンプ３２に転送されないことを確実にすることができる。このために、ユーザー６はまず、自身の通信デバイス４０、４１にインストールされるデータをダウンロードし、次にこのデータを、ラック３１を介してそれぞれの輸液デバイス３２に転送する。
【００７７】
本発明の着想は、上記で説明された実施形態に限定されない。
【００７８】
パブリックドメイン内、例えばインターネット上に位置する上記で説明した種類の薬剤ライブラリサーバーを介して提供されるウェブベースのサービスによって、特定のヘルスケア環境、例えば病院内で、更には別個のヘルスケア環境間、例えば異なる病院間で運用データを容易に配信及び共有することが可能になる。
【００７９】
ＸＭＬ又はＪＳＯＮ／ＢＳＯＮフォーマット等の標準化されたフォーマットにおいて運用データを出力することによって、ウェブベースのサービスは様々な製造者の医療デバイスとともに機能することができる。
【００８０】
データは、例えば、スマートポンプ／静脈内投薬（IV medication）のためのいわゆるＨＬ７／ＩＨＥ表現及びＨＩＢＣバーコード化規格から既知であるような、薬剤のパラメーター化の既存の定義を用いてパラメーター化することができる。
【符号の説明】
【００８１】
１  薬剤ライブラリサーバー
１０  ウェブサーバー
１１  通信インターフェース（ウェブインターフェースコンポーネント）
１２  データベースコンポーネント
１２０  デバイス位置特定
１２１  クライアントプロファイル
１２２  構成
１２３  薬剤ライブラリ
１２４  治療エリア
１２５  データセット
１２６  デバイスプロファイル
１３  製造者ツール
２  公衆通信ネットワーク
３  ヘルスケア環境
３０  インターフェース
３１  医療デバイス（ラック）
３１０  通信インターフェース（ウェブサーバー）
３２  医療デバイス（輸液ポンプ）
３２０  通信インターフェース（ウェブサーバー）
３３  ローカルネットワーク
３４  配信サーバー
３４０  通信インターフェース（ウェブサーバー）
４０  通信デバイス（携帯用デバイス）
４００  ウェブクライアント
４１  通信デバイス（外部デバイス）
４１０  ウェブクライアント
４１１  デバイス発見ツール
５  外部サービス
５０  外部システム
５１  製造者サービス
６  ユーザー
８  バーコード
８１  情報
Ｓ１〜Ｓ７  ステップ
【図１】
2016510152.tif 000003
【図２】
2016510152.tif 000004
【図３】
2016510152.tif 000005
【図４】
2016510152.tif 000006
【図５】
2016510152.tif 000007
【国際調査報告】
2016510152.tif 000008